(57)【要約】【課題】小型化を容易に図ることができ、ノート型パソコン等の電子機器にも適用することができる熱交換器を提供する。【解決手段】本発明は、熱媒体が流通する扁平チューブ１２を備えた熱交換器１１であって、扁平チューブ１２の端部１３の短径方向を拡径して形成されたパイプ挿入口１４と、パイプ挿入口１４の両側に形成された閉塞部１５と、閉塞部１５を押圧するように設けられ、閉塞部１５の閉塞状態を保持する閉塞状態保持部１６とを備えていることを特徴とする。【選択図】図１
2007225165.tif 000002
【特許請求の範囲】
【請求項１】
熱媒体が流通する扁平チューブを備えた熱交換器であって、
前記扁平チューブの端部の短径方向を拡径して形成されたパイプ挿入口と、該パイプ挿入口の両側に形成された閉塞部と、該閉塞部を押圧するように設けられ、該閉塞部の閉塞状態を保持する閉塞状態保持部とを備えていることを特徴とする熱交換器。
【請求項２】
前記閉塞状態保持部は、前記扁平チューブの端部から延出する短冊片を折り返して形成される爪部から構成されている請求項１に記載の熱交換器。
【発明の詳細な説明】
【技術分野】
【０００１】
本発明は、熱交換器に関し、特に、ノート型パソコン等の電子機器に設けられる小型の熱交換器に関する。
【背景技術】
【０００２】
従来、ノート型パソコン等の電子機器には、ＣＰＵ（Central Processing Unit）、サイリスタや電力用コンデンサ等の熱源から発生した熱を放出させるため、熱交換器が設けられている。
【０００３】
図４に示されているように、この種の従来の熱交換器１は、扁平チューブ２と、扁平チューブ２に周設されるフィン３と、扁平チューブ２の両端部にそれぞれ設けられる入口側タンク４及び出口側タンク５と、入口側及び出口側タンク４，５にそれぞれ接続される入口パイプ６及び出口パイプ７とから概略構成されている。
【０００４】
そして、入口パイプ６から入口側タンク４を通って扁平チューブ２内に流入した冷却流体は、フィン３又は扁平チューブ２の外面を介し、前記熱源から発生した熱を吸収した後、出口側タンク５を通って、出口パイプ７から排出されるようになっている（例えば、特許文献１参照）。
【特許文献１】特開２００５−３０８３６５号公報
【発明の開示】
【発明が解決しようとする課題】
【０００５】
しかしながら、上記した従来の熱交換器は、部品点数が多く、小型化が図り難いため、特に、小型化を求められるノート型パソコン等の電子機器には、適用し難いといった問題があった。
【０００６】
また、部品点数が多いと、ロウ付け接合箇所も多くなるため、熱交換器の製造管理が難しくなり、接合箇所から冷却流体等の熱媒体が漏出する危険性も増大するといった問題があった。
【０００７】
本発明は、上記した課題を解決すべくなされたものであり、小型化を容易に図ることができ、ノート型パソコン等の電子機器にも適用することができ、製造管理が容易で、ロー付け性に優れ、製品の信頼性の向上を図ることができる熱交換器を提供することを目的とするものである。
【課題を解決するための手段】
【０００８】
本発明は、熱媒体が流通する扁平チューブを備えた熱交換器であって、前記扁平チューブの端部の短径方向を拡径して形成されたパイプ挿入口と、該パイプ挿入口の両側に形成された閉塞部と、該閉塞部を押圧するように設けられ、該閉塞部の閉塞状態を保持する閉塞状態保持部とを備えていることを特徴とする。
【０００９】
そして、前記閉塞状態保持部は、前記扁平チューブの端部から延出する短冊片を折り返して形成される爪部から構成されていてもよい。
【発明の効果】
【００１０】
本発明によれば、タンクやヘッダを省略し、扁平チューブにパイプを直接、接続することができるため、部品点数を削減することができる。したがって、熱交換器の薄型化及び小型化を図ることができ、ノート型パソコン等の小型の電子機器にも設置することができる。
【００１１】
また、部品点数の削減に伴い、ロウ付け接合箇所も少なくなるため、熱交換器の製造管理を容易且つ確実に行うことができ、接合箇所からの熱媒体の漏出を防止し、製品の信頼性の向上を図ることができる。
【００１２】
さらに、製造工数を削減することもできるため、組み付け作業や製造作業が簡素化され、製造コストの低減化を図ることもできる等、種々の優れた効果を得ることができる。
【発明を実施するための最良の形態】
【００１３】
以下、図１〜図３を参照しつつ、本発明の実施の形態に係る熱交換器について説明する。ここで、図１は本実施の形態に係る熱交換器を部分的に示す斜視図、図２は本実施の形態に係る熱交換器を部分的に示す側面図、図３は本実施の熱交換器に係る熱交換器の製造方法を示す平面図である。なお、以下の説明では、本発明を、ノート型パソコン等の電子機器に設けられる小型の熱交換器に適用した場合について例示して説明する。
【００１４】
本発明の実施の形態に係る熱交換器１１には、内部に冷却流体が流通する扁平チューブ１２が設けられている。この扁平チューブ１２は、その端部１３の中央に形成されたパイプ挿入口１４と、前記端部１３においてパイプ挿入口１４の両側に形成された閉塞部１５と、閉塞部１５に設けられた閉塞状態保持部１６とを備えて構成されている。
【００１５】
パイプ挿入口１４は、扁平チューブ１２の端部１３の中央を短径方向（図示では上下）に拡径することにより形成され、その入口部分は円形状を成している。そして、このパイプ挿入口１４には、円筒形状のパイプ１７が挿入可能となっており、パイプ挿入口１４とパイプ１７とはロウ付け接合されるようになっている。
【００１６】
閉塞部１５は、扁平チューブ１２の端部１３の両側を押圧し、ロウ付け接合することにより、密閉されている。また、閉塞状態保持部１６は、閉塞部１５からＵ字状に突出した爪部１８，１９により構成され、この爪部１８，１９により、扁平チューブ１２の端部１３の両側外面が押圧されるようになっている。これにより、パイプ挿入口１４にパイプ１７を挿入する時に、閉塞部１５が開いて隙間ができることがないので、閉塞部１５からの冷却流体の漏出を防止することができる。
【００１７】
そして、上記した構成を備えた熱交換器１１は、具体的には、以下のような手順で製造される。
【００１８】
図３に示すように、先ず、長尺の扁平チューブ材料２０を一点鎖線上で切断し、所定長の扁平チューブ１２を形成する。その後、扁平チューブ１２の切断箇所の中央部分２１を切除すると共に、前記切断箇所の両側部分２２，２３をそれぞれ切除し、扁平チューブ１２の端部１３から対向して延出する２個一対の短冊片２４をそれぞれ形成する。
【００１９】
次いで、扁平チューブ１２の端部１３の内面にペースト状のロウ材を塗布し、扁平チューブ１２の端部１３の両側を押圧し、閉塞部１５を形成する。そして、このように閉塞部１５を押圧することにより重合された各短冊片２４をそれぞれ同一方向（図１及び図２の下方）にＵ字状に折り返し、爪部１８，１９を形成し、この爪部１８，１９により、端部１３の両側外面をそれぞれ押圧し、閉塞状態保持部１６を形成する。
【００２０】
一方、扁平チューブ１２の端部１３の中央を短径方向に拡径し、パイプ挿入口１４を形成し、パイプ挿入口１４にパイプ１７を挿入する。この時、パイプ挿入口１４の両側は、閉塞状態保持部１６により押圧されて閉塞状態を保持されるため、閉塞部１５に隙間が生じることはない。
【００２１】
このように扁平チューブ１２を形成すると共に、扁平チューブ１２の端部１３にパイプ１７を組み付けた後、熱交換器１１を高温の炉内に入れ、各接合箇所のロウ材を溶融し、各接合箇所を一体ロウ付けし、固定する。
【００２２】
上記したように、本発明の実施の形態に係る熱交換器１１によれば、タンクやヘッダを省略し、扁平チューブ１２にパイプ１７を直接、接続することができるため、部品点数を削減することができる。したがって、熱交換器１１の薄型化及び小型化を図ることができ、ノート型パソコン等の小型の電子機器にも設置することができる。
【００２３】
また、部品点数の削減に伴い、ロウ付け接合箇所も少なくなるため、熱交換器１１の製造管理を容易且つ確実に行うことができ、接合箇所からの冷却流体等の熱媒体の漏出を防止し、製品の信頼性の向上を図ることができる。さらに、製造工数を削減することもできるため、組み付け作業や製造作業が簡素化され、製造コストの低減化を図ることもできる。
【００２４】
なお、上記した実施の形態においては、本発明を、ノート型パソコン等の電子機器に設置される小型の熱交換器に適用した場合について説明したが、これは単なる例示に過ぎず、本発明に係る熱交換器は、複数の扁平チューブ１２が並設される車輌や空気調和機用の通常の熱交換器にも適用可能である。そして、その場合には、各扁平チューブ１２に接続される複数のパイプ１７を連結する集合管等をさらに設け、該集合管により各扁平チューブ１２内を流通する熱媒体が合流可能なように構成するのがよい。
【図面の簡単な説明】
【００２５】
【図１】本発明の実施の形態に係る熱交換器を示す斜視図である。
【図２】本発明の実施の形態に係る熱交換器を示す側面図である。
【図３】本発明の実施の形態に係る熱交換器の製造方法を示す平面図である。
【図４】従来例を示す平面図である。
【符号の説明】
【００２６】
１１          熱交換器
１２          扁平チューブ
１３          端部
１４          パイプ挿入口
１５          閉塞部
１６          閉塞状態保持部
１８，１９    爪部
２４          短冊片
【図１】
2007225165.tif 000003
【図２】
2007225165.tif 000004
【図３】
2007225165.tif 000005
【図４】
2007225165.tif 000006